(57)【特許請求の範囲】
【請求項１】
ボールが投入され排出される容体であって、
外周部に対しボールを投入するボール投入部と、
中央部からボールを落下させるボール落下口と、
前記ボール投入部から外周部に投入されたボールを、中央部のボール落下口に渦巻き状に誘導するボール誘導路と、
前記ボール投入部から投入されたボールを減速させるボール減速手段と、を有し、
前記ボール誘導路は、ボールが転がる下面と、当該下面に転がるボールの外側を覆う外壁面を有し、前記ボール投入部側から前記ボール落下口に向けて次第に低くなるように傾斜しており、
前記ボール落下口は、前記ボール誘導路の下面の終端に連続的に接続され、当該下面の渦巻き軌跡上に形成され、
前記ボール誘導路の下面側を除く前記ボール落下口の周囲は、壁面により覆われ、
前記壁面は、前記ボール誘導路の外壁面の終端に連続的に接続され、前記壁面の上端は、前記外壁面の終端と同じかそれより高く形成され、
前記ボール減速手段は、前記ボール誘導路の下面よりも摩擦係数が大きい摩擦板を有し、
前記摩擦板は、前記下面上に設けられ、
前記摩擦板の一部が、当該摩擦板が設けられたボール誘導路の下面よりも内側に突出して、前記ボール誘導路を転がるボールの外側面に接触する接触部材を構成し、前記内側のボール誘導路を転がるボールの外側面に接触する、ことを特徴とする、容体。
【請求項２】
ボールが投入され排出される容体であって、
外周部に対しボールを投入するボール投入部と、
中央部からボールを落下させるボール落下口と、
前記ボール投入部から外周部に投入されたボールを、中央部のボール落下口に渦巻き状に誘導するボール誘導路と、を有し、
前記ボール誘導路は、ボールが転がる下面と、当該下面に転がるボールの外側を覆う外壁面を有し、前記ボール投入部側から前記ボール落下口に向けて次第に低くなるように傾斜し、
前記ボール誘導路の下面は、外壁面側が低くなるように外側に傾斜しており、
前記ボール落下口は、前記ボール誘導路の下面の終端に連続的に接続され、当該下面の渦巻き軌跡上に形成され、
前記ボール誘導路の下面側を除く前記ボール落下口の周囲は、壁面により覆われ、
前記壁面は、前記ボール誘導路の外壁面の終端に連続的に接続され、前記壁面の上端は、前記外壁面の終端と同じかそれより高く形成されていることを特徴とする、容体。
【請求項３】
前記ボール落下口は、前記渦巻き軌跡方向にボールの径の１．５倍を超えて２．０倍未満の径を有するように形成されていることを特徴とする、請求項１又は２に記載の容体。
【請求項４】
最外周のボール誘導路からその内側のボール誘導路に誘導されるべきボールが最外周のボール誘導路に乗り上がるのを防止するガイド部をさらに有することを特徴とする、請求項１〜３のいずれかに記載の容体。
【請求項５】
請求項１〜４のいずれかに記載の容体と、
前記容体のボール投入部とボール落下口に接続されたボール移動路を有し、
前記容体とボール移動路を通じてボールを循環させるボール循環装置。
【請求項６】
請求項５に記載のボール循環装置を備えた遊戯装置。
【発明の詳細な説明】
【技術分野】
【０００１】
本発明は、容体と、当該容体を備えたボール循環装置と、当該ボール循環装置を備えた遊戯装置に関する。
【背景技術】
【０００２】
従来より、ゲームセンターなどに設置される遊戯装置には、例えばメダルプッシャ遊戯装置などがある。このメダルプッシャ遊戯装置は、例えば遊戯者がメダルを特定フィールドに投入することにより、フィールド上を往復動するプッシャに押圧されたメダルがフィールドから落下し、落下したメダルが遊戯者に払い出されるもので、うまくすると、遊戯者は投入した枚数以上の枚数を獲得することができる。
【０００３】
この種のメダルプッシャ遊戯装置には、さらに遊戯性を向上するために、例えばボールを用いた抽選機能を有するものがある（特許文献１参照。）。これは、例えばメダル投入器から投入されたメダルがメダルチャッカーを通過すると、抽選装置のスロットが回転し、所定の役が揃うと、多数のメダルが堆積したフィールドにボールが供給されるものである。このメタルプッシャ遊戯装置には、ボールをフィールド等に給排するためのボール供給装置が設けられている。
【０００４】
【特許文献１】特開２００２−２５３８４２号公報
【発明の開示】
【発明が解決しようとする課題】
【０００５】
ところで、上述のメダルプッシャ装置のようなボールを用いた遊戯装置においては、遊戯者から見えるボールの供給経路に、図１０に示すような外周部にボールを投入して中央部から落下させるような漏斗状の容体１００を配置することが提案できる。これにより、遊戯装置におけるボールを用いた遊戯性や演出性を向上させることができる。
【０００６】
しかしながら、上述のような遊戯装置では、例えば演出性等を考慮すると、多数のボールを連続的に給排することが考えられる。この場合に、単純に上述のような漏斗状の容体を用いると、例えば容体の中央部の落下口付近で２つ以上のボールが同時に落下口に入ろうとして、ボールが詰まることが考えられる。ボールが詰まると、遊戯装置を直ちに停止させ作業員がボールを取り除く必要がある。
【０００７】
本発明は、かかる点に鑑みてなされたものであり、上述のようなボールを用いた遊戯装置等に用いることができる容体のボール詰まりを防止することをその目的とする。
【課題を解決するための手段】
【０００８】
上記目的を達成する本発明は、ボールが投入され排出される容体であって、外周部に対しボールを投入するボール投入部と、中央部からボールを落下させるボール落下口と、前記ボール投入部から外周部に投入されたボールを、中央部のボール落下口に渦巻き状に誘導するボール誘導路と、を有し、前記ボール誘導路は、ボールが転がる下面と、当該下面に転がるボールの外側を覆う外壁面を有し、前記ボール投入部側から前記ボール落下口に向けて次第に低くなるように傾斜しており、前記ボール落下口は、前記ボール誘導路の下面の終端に連続的に接続され、当該下面の渦巻き軌跡上に形成され、前記ボール誘導路の下面側を除く前記ボール落下口の周囲は、壁面により覆われ、前記壁面は、前記ボール誘導路の外壁面の終端に連続的に接続され、前記壁面の上端は、前記外壁面の終端と同じかそれより高く形成されていることを特徴とする。なお、「中央部」には、容体の中心からずれた中心周辺も含まれる。
【０００９】
本発明によれば、ボール誘導路の下面側を除くボール落下口の周囲が壁面により覆われており、その壁面の上端が、ボール誘導路の外壁面の終端と同じかそれより高く形成されているので、ボール落下口に誘導されたボールの動きが、壁面により厳格に制限される。例えばボールがボール落下口の壁面に衝突し跳ね返って当該壁面を乗り越えてボール誘導路側に戻されるようなことがなくなる。これにより、連続してボールが投入されても、ボール落下口においてボールの順番が入れ替わることなく順次ボールが落下するので、例えば前のボールと後のボールとが同時にボール落下口に入ろうとしてボールが詰まるようなことが防止される。
【００１０】
前記ボール落下口は、前記渦巻き軌跡方向にボールの径の１．５倍を超えて２．０倍未満の径を有するように形成されていてもよい。かかる場合、例えば図８に示すようにボールが連続して供給された場合に、前のボールＣ１がボール落下口Ｈから落下し始めたときに、その次のボールＣ２の重心Ｇがボール落下口Ｈ上に位置する。このため、次のボールＣ２に対し、進行方向の斜め下方に力が作用し、これによって前のボールＣ１が斜め下方に押される。この結果、前のボールＣ１がボール落下口Ｈの壁面に跳ね返ってボール誘導路側に戻るようなことがなく、ボール詰まりをより確実に防止できる。また、ボール落下口Ｈの径がボールの２．０倍未満なので、例えば前のボールＣ１と次のボールＣ２がほぼ同時にボール落下口Ｈ内に落下することがなくボール落下口Ｈ内でボールが詰まることも防止できる。
【００１１】
上記容体は、前記ボール投入部から投入されたボールを減速させるボール減速手段をさらに有していてもよい。かかる場合、ボールが減速されるので、ボールがボール誘導路に沿って適正に誘導される。またボールがボール落下口の壁面において跳ね返るようなことが抑制される。この結果、ボール詰まりをより確実に防止できる。
【００１２】
前記ボール減速手段は、前記ボール誘導路の下面よりも摩擦係数が大きい摩擦板を有し、前記摩擦板は、前記下面上に設けられていてもよい。
【００１３】
前記ボール減速手段は、前記ボール誘導路を転がるボールの外側面に接触する接触部材をさらに有し、前記摩擦板の一部が、当該摩擦板が設けられたボール誘導路の下面よりも内側に突出して前記接触部材を構成し、前記内側のボール誘導路を転がるボールの外側面に接触するようにしてもよい。かかる場合、一つの摩擦板を用いて、ボール誘導路上の２個所でボールを減速できるので、部品点数を抑えつつ効果的にボールを減速できる。
【００１４】
前記ボール誘導路の下面は、外壁面側が低くなるように外側に傾斜していてもよい。
【００１５】
以上の容体は、最外周のボール誘導路からその内側のボール誘導路に誘導されるべきボールが最外周のボール誘導路に乗り上がるのを防止するガイド部をさらに有していてもよい。
【００１６】
別の観点による本発明によれば、上記容体と、前記容体のボール投入部とボール落下口に接続されたボール移動路を有し、前記容体とボール移動路を通じてボールを循環させるボール循環装置が提供される。
【００１７】
また、別の観点による本発明によれば、前記循環装置を備えた遊戯装置が提供される。
【発明の効果】
【００１８】
本発明によれば、ボールが投入され排出される容体のボール詰まりを防止できる。
【発明を実施するための最良の形態】
【００１９】
以下、図面を参照して、本発明の好ましい実施の形態について説明する。
【００２０】
本発明にかかる容体は、例えば図１に示すような遊戯装置１に搭載される。遊戯装置１は、例えばメダルプッシャ遊戯装置であり、例えばボールを用いたイベント機能を有している。遊戯装置１は、全体として大型の円柱状の筐体１０から構成され、この筐体１０の円周方向に均等に複数のサテライト１１が配置されている。サテライト１１には、多数のメダルが載せられたフィールド１２、当該フィールド１２上を往復移動してメダルを溝に落下させるメダルプッシャ１３、フィールド１２上にメダルを投入するメダル投入機１４などが設けられている。遊戯者は、このサテライト１１においてメダルを投入し、またメダルの払い出しを受けて、メダル遊戯を行うことができる。
【００２１】
筐体１０内には、例えば図２に示すように複数のボールを連続的に移送可能な複数のコースが設けられている。例えば複数のコースのうち一部のコースは、ボール循環装置としての循環コース２０になっている。循環コース２０は、例えばボールが転がるＵ字管状のレール２１と、本実施の形態にかかる容体２２と、レール２１の途中に接続され、ボールを下部から上部に運ぶリフタ２３を備えている。なお、本実施の形態では、レール２１とリフタ２３により、ボール移動路が構成されている。
【００２２】
リフタ２３は、例えば図３に示すように２つの上昇経路Ａ，Ｂを有している。レール２１は、例えばリフタ２３の上昇経路Ａの終端と容体２２とを接続する第１レール２１ａと、容体２２とリフタ２３の上昇経路Ｂの始端を接続する第２レール２１ｂと、リフタ２３の上昇経路Ｂの終端と上昇経路Ａの始端を接続する第３レール２１ｃを有している。かかる構成により、第１レール２１ａ、容体２２、第２レール２１ｂ、上昇経路Ｂ、第３レール２１ｃ及び上昇経路Ａを順に通り、第１レール２１ａに戻る循環コース２０が形成される。
【００２３】
また、例えば容体２２の上流側の第１レール２１ａには、シーソー式のボール貯留部  ２４が形成されている。第１レール２１ａを転がるボールは、このボール貯留部２４で一旦貯留され、所定数のボールが貯留されると、その重みによりシーソーが倒れてボールが容体２２に流れ込むようになっている。したがって、容体２２には、複数のボールがまとめて連続的に投入される。
【００２４】
なお、循環コース２０には、循環コース２０にボールを補充するためのコースや、イベント時に循環コース２０上のボールを所定のサテライト１１に供給するためのコースなどが接続されている。また、容体２２には、上部から容体２２内にボールを落下させる他のコース２５も接続されている。
【００２５】
かかる遊戯装置１では、例えば遊戯者のメダルの投入数等に応じて循環コース２０にボールが溜められ、その循環コース２０のボールが所定のイベント時に特定の遊戯者のサテライト１１のフィールド１２に供給される。そして、供給されたボールに押されてフィールド１２上のメダルが溝に落下してメダルが払い出されたり、フィールド１２から回収されたボールの数に応じてメダルが払い出されたりする。
【００２６】
次に、容体２２の構成について説明する。図４に示すように、容体２２は、平面から見て略円形で、概して外周部側から中心部側に近づくにつれて次第に深くなる漏斗形状を有している。容体２２の外周壁２２ａには、容体２２の外周部の周方向に向けてボールＣを投入するためのボール投入部３０が形成されている。このボール投入部３０に上述の第１レール２１ａが接続されている。容体２２の中心部には、ボールを落下させるボール落下口３１が形成されている。このボール落下口３１に上述の第２レール２１ｂが接続されている。
【００２７】
容体２２の表面には、外周部から中心部のボール落下口３１に向けて渦巻き状のボール誘導路３２が形成されている。ボール誘導路３２は、外周部から中心部に近づくにつれて次第に低くなるように傾斜している。
【００２８】
ボール誘導路３２は、ボールＣが転がる下面３２ａと、転がるボールＣの外側を囲む外壁面３２ｂを有している。下面３２ａは、外側が低くなるようにわずかに傾斜している。外壁面３２ｂは、下面３２ａの外側端部に略垂直に形成されている。径方向に隣り合うボール誘導路３２同士は、内側のボール誘導路３２の略水平の下面３２ａとその略垂直の外壁面３２ｂ、及び外側のボール誘導路３２の略水平の下面３２ａが連続して接続され、段状に形成さている。このため、内側にボール誘導路３２のあるボール誘導路３２の下面３２ａは、外側にのみ壁が形成されている。
【００２９】
ボール投入部３０は、最外周のボール誘導路３２の下面３２ａよりも高い位置に形成されており、ボール投入部３０から投入されたボールＣは、ボール誘導路３２の下面３２ａ上に落下する。
【００３０】
ボール落下口３１は、ボール誘導路３２の下面３２ａの終端に連続的に接続され、下面３２ａの渦巻き軌跡上に形成されている。したがって、ボール誘導路３２によって渦巻き状に誘導されたボールＣは、そのまま渦巻き状の軌跡をたどって落下する。なお、ボール落下口３１は、容体２２の中心よりわずかにずれた位置に形成されている。
【００３１】
ボール落下口３１は、図５に示すように渦巻き軌跡方向にボールＣの径の１．５倍を超えて２．０倍未満の径Ｄを有している。
【００３２】
ボール落下口３１の周囲は、図４に示すようにボール誘導路３２の下面３２ａ側を除く部分が、壁面３１ａにより覆われている。壁面３１ａは、ボール誘導路３２の外壁面３２ｂの終端に連続的に接続されている。壁面３１ａの上端は、例えば図６に示すように外壁面３２ｂの終端Ｅの上端と同じ高さに形成されている。したがって、外壁面３２ｂの上端の高さは、始端から終端Ｅに向かって次第に低くなっているが、それに接続された壁面３１ａでは、上端の高さが維持されている。
【００３３】
図４及び図５に示すように最外周のボール誘導路３２の下面３２ａ上には、ボール減速手段としての摩擦板４０が張り付けられている。摩擦板４０は、ボール投入部３０から投入されたボールＣが落下する位置に設けられている。摩擦板４０は、少なくとも下面３２ａの摩擦係数より大きく、摩擦によりボールＣの速度を低減できる。また、摩擦板４０は、例えばゴムなどの弾性材により形成されており、ボールＣが落下したときの衝撃を和らげることができる。摩擦板４０は、略台形に形成され、短上底４０ａが外側に向けられ、接触部材としての長上底４０ｂが内側に向けられている。長上底４０ｂは、最外周のボール誘導路３２の下面３２ａより内側にはみ出している。例えば摩擦板４０は、長上底４０ｂの直線が、最外周の下面３２ａ上からその内周の下面３２ａ上を通り再度最外周の下面３２ａ上に達するように形成されている。換言すると、長上底４０ｂは、内側のボール誘導路３２でできる略円形状の弦の位置に配置されている。この長上底４０ｂには、内側のボール誘導路３２を通るボールＣの外側面が接触する。
【００３４】
容体２２の外周壁２２ａには、最外周のボール誘導路３２からその内側のボール誘導路３２に誘導されるべきボールＣが最外周のボール誘導路３２に乗り上がるのを防止するガイド部５０が設けられている。ガイド部５０は、例えば容体２２の外周壁２２ａから内側に突出するように形成されている。
【００３５】
次に、以上のように構成された容体２２の作用について説明する。先ず、遊戯装置１では、遊戯の実行中において、循環コース２０に多数のボールＣが循環され、容体２２には、複数のボールＣが連続的に不規則に投入される。ボール投入部３０から投入されたボールＣは、図７に示すように最外周のボール誘導路３２の摩擦板４０上に落下する。このとき、摩擦板４０の弾性により衝撃が和らげられる。その後、ボールＣは、摩擦板４０上を通り減速される。その後、ボールＣは、ボール誘導路３２に沿って誘導される。このとき、ボールＣは、遠心力と下面３２ａの外側への傾斜により、外壁面３２ｂに沿って誘導される。ボールＣは、渦巻きの２周目で摩擦板４０の長上底４０ｂに接触し、ここでも減速される。その後、ボールＣは、ボール誘導路３２の終端に達し、ボール落下口３１から落下する。この際、ボールＣは、ボール落下口３１の壁面３１ａにより厳格に制限され、順番にボール落下口３１に落下する。また、図８に示したように前のボールＣ１が落下し始めたときに、連続する次のボールＣ２の重心Ｇがボール落下口Ｈ（３１）上にあり、前のボールＣ１は、次のボールＣ２により斜め下方向に押されて、上方やボール誘導路３２方向への跳ね返りが防止される。
【００３６】
以上の実施の形態によれば、ボール誘導路３２の下面３２ａ側を除くボール落下口３１の周囲が、壁面３１ａにより覆われており、その壁面３１ａの上端が、ボール誘導路３２の外壁面３２ｂの終端Ｅと同じ高さに形成されているため、ボール落下口３１に誘導されたボールＣの動きが、壁面３１ａにより厳格に制限される。例えばボールＣがボール落下口３１の壁面３１ａに衝突し跳ね返って壁面３１ａを乗り越えてボール誘導路３２側に戻されるようなことがなくなる。これにより、連続してボールＣが投入されても、ボール落下口３１においてボールＣの順番が入れ替わることなく順次ボールＣが落下するので、例えば前のボールと次のボールとが同時にボール落下口３１に入ろうとしてボールが詰まることが防止される。
【００３７】
なお、上記実施の形態において、壁面３１ａの上端の高さは、ボール誘導路３２の外壁面３２ｂの終端Ｅの高さと同じであったが、それより高くてもよい。
【００３８】
また、以上の実施の形態では、ボール落下口３１は、渦巻き軌跡方向にボールＣの径の１．５倍を超えて２．０倍未満の径Ｄを有するように形成されているので、上述したように落下時に前のボールＣ１が次のボールＣ２によって斜め下方に押される。このため、前のボールＣ１がボール落下口３１の壁面３１ａに跳ね返ってボール誘導路３２側に戻るようなことがなく、ボール詰まりをより確実に防止できる。また、ボール落下口３１の径Ｄがボールの２．０倍未満なので、例えば前のボールＣ１と次のボールＣ２がほぼ同時にボール落下口３１内に落下することがなくボール落下口３１内でのボール詰まりも防止できる。
【００３９】
ボール誘導路３２の下面３２ａ上に摩擦板４０が設けられているので、ボールの速度が減速される。これにより、ボールＣがボール誘導路３２に沿って適正に誘導される。またボールＣがボール落下口３１の壁面３１ａにおいて跳ね返るようなことが抑制される。この結果、ボール詰まりをより確実に防止できる。
【００４０】
摩擦板４０は、ボール投入部３０から投入されたボールが落下する位置に設けられている。かかる場合、ボールＣは、投入時に摩擦板４０上に落下し、その後摩擦板４０のないボール誘導路３２の下面３２ａに転がる。これに対し仮に摩擦板４０がボールＣの落下位置にない場合には、ボールＣが一旦摩擦板４０のないボール誘導路３２に落下し、その後摩擦板４０上を通ることになる。つまり、本実施の形態のように摩擦板４０をボールＣの落下位置に設けた場合は、ボールＣが、転がる途中で例えば厚みのある摩擦板４０に当たって跳ねるようなことがない。したがって、ボールＣの転がりを妨げることなく、ボールＣの減速を行うことができる。
【００４１】
また、摩擦板４０は、弾性材により形成されているので、摩擦板４０のボール減速能力が上がる。また、ボールＣの落下による衝撃が緩和され、ボールＣや容体２２の劣化や損傷を防止できる。
【００４２】
摩擦板４０の長上底４０ｂが、最外周のボール誘導路３２の下面よりも内側に突出して、その内側のボール誘導路３２を転がるボールの外側面に接触しているので、ここでもボールを減速させることができる。また、一枚の摩擦板４０を用いて、ボール誘導路３２上の２個所でボールＣを減速できるので、部品点数を抑えつつ効果的にボールＣを減速できる。さらに摩擦板４０の長上底４０ｂが、内側のボール誘導路３２の略円形の弦上に位置し、三日月形状に突出するので、ボールＣの外側面が長上底４０ｂに滑らかに接触し、ボールＣの転がりを乱すことがない。よって、ボールＣを内側のボール誘導路３２でも減速させつつ、ボールＣを適正に誘導できる。
【００４３】
ボール誘導路３２の下面３２ａは、外壁面３２ｂ側が低くなるように外側に傾斜しているので、ボールＣが当該傾斜と遠心力により外壁面３２ｂに沿って誘導される。これにより、ボールＣがボール落下口３１により確実に誘導される。
【００４４】
容体２２の外周壁にガイド部５０が形成されているので、最外周のボール誘導路３２からその内側のボール誘導路３２に誘導されるべきボールＣが最外周のボール誘導路３２に乗り上がるのを防止できる。これにより、ボールＣが適正に誘導される。
【００４５】
また、以上の遊戯装置１では、特に多数のボールＣが連続的かつ不規則に容体２２に供給されるので、遊戯装置１に本発明に係る容体２２を用いた効果は大きい。
【００４６】
なお、以上の実施の形態で記載した摩擦板４０は、必ずしもボール落下位置にある必要はなく、ボール誘導路３２上の他の部分にあっても、ボール詰まり抑制の効果は得られる。また、ボールＣの外側面に接触する接触部材と摩擦板４０は、別体であってもよい。また、摩擦板や接触部材は、それぞれ複数個所に設けられていてもよい。
【００４７】
以上の実施の形態では、ボール誘導路３２の下面３２ａに摩擦板４０を設けてボールＣを減速していたが、ボール減速手段として下面３２ａに凹凸部を設けてボールＣを減速させてもよい。例えば凹凸部は、図９に示すようにボール誘導路３２の下面３２ａに形成された穴６０であってもよい。この穴６０は、例えばボール誘導路３２の渦巻き方向に対して直角の長穴で複数個所に形成される。かかる場合も、穴６０によってボールＣが減速され、ボール落下口３１におけるボール詰まりが抑制される。
【００４８】
なお、上記例において、穴６０は、ボール誘導路３２の渦巻き方向に向けて長い長穴であってもよい。また、凹凸部は、穴６０に限られず、他の形状の穴であってもよいし、板などの下面３２ａに対して凸状のものであってもよい。また、凹凸部は、穴などの凹状のものと、板などの凸状のものを組み合わせたものであってもよい。
【００４９】
以上、添付図面を参照しながら本発明の好適な実施の形態について説明したが、本発明はかかる例に限定されない。当業者であれば、特許請求の範囲に記載された思想の範疇内において、各種の変更例または修正例に相到し得ることは明らかであり、それらについても当然に本発明の技術的範囲に属するものと了解される。
【００５０】
例えば、以上の実施の形態では、容体２２やレール２１及びリフタ２３によりボール循環装置が構成されていたが、ボール循環装置の構成はこれに限られるものではない。また、このようなボール循環装置は、上記遊戯装置１に限られず、ボールを用いる他の遊戯装置に適用してもよい。さらに、本発明は、遊戯装置に限られず、例えばボールを循環させる鑑賞用のオブジェなどのボール循環装置にも適用できる。
【図面の簡単な説明】
【００５１】
【図１】遊戯装置全体の斜視図である。
【図２】遊戯装置の筐体内の循環コースを示した斜視図である。
【図３】循環コースの模式図である。
【図４】容体の斜視図である。
【図５】容体の平面図である。
【図６】ボール落下口の壁面の高さを示す説明図である。
【図７】複数のボールが連続して投入された状態を示す容体の斜視図である。
【図８】ボール落下口に連続する２つのボールが落下する様子を示す説明図である。
【図９】ボール誘導路に穴が形成された場合の容体の斜視図である。
【図１０】改良前の容体を示す説明図である。
【符号の説明】
【００５２】
１  遊戯装置
２０  循環コース
２１  レール
２２  容体
２３  リフタ
３０  ボール投入部
３１  ボール落下口
３１ａ  壁面
３２  ボール誘導路
３２ａ  下面
３２ｂ  外壁面
４０  摩擦板
５０  ガイド部
Ｃ  ボール
【図１】
0005003964.tif 000002
【図２】
0005003964.tif 000003
【図３】
0005003964.tif 000004
【図４】
0005003964.tif 000005
【図５】
0005003964.tif 000006
【図６】
0005003964.tif 000007
【図７】
0005003964.tif 000008
【図８】
0005003964.tif 000009
【図９】
0005003964.tif 000010
【図１０】
0005003964.tif 000011